(57)【要約】【課題】つかみ易く取り扱いに優れ、作業効率の向上を図る滑り止め付き工具を提供する。【解決手段】滑り止め部２を設けた把持部３と、把持部３の一端又は両端に設けた駆動部４とを備えた滑り止め付き工具１であって、把持部３を、把持部３と駆動部４とを結合する結合部５より太く形成したことにより、手に取り易い形状とし、軍手や手袋等を装着した手でもつかみ易い形状とすることができるため、滑り止め付き工具１のつかみ損ないを防止して作業工程の円滑な進行を図り、作業効率の向上を図ることができる。また、把持部３の断面形状を円形とすることにより、把持部３を手に馴染み易く、握り易い形状とすることができる。【選択図】図１
0003170020.tif 000002
【実用新案登録請求の範囲】
【請求項１】
滑り止め部を設けた把持部と、前記把持部の一端又は両端に設けた駆動部とを備えた滑り止め付き工具であって、
前記把持部を、前記把持部と前記駆動部とを結合する結合部より太く形成したものとすることを特徴とする滑り止め付き工具。
【請求項２】
前記把持部の断面形状を、円形、楕円形又は四角形等の多角形状とすることを特徴とする請求項１記載の滑り止め付き工具。
【請求項３】
前記滑り止め部は、前記把持部の表面に形成された格子状の凹溝からなる凹凸構造としたことを特徴とする請求項１又は２に記載の滑り止め付き工具。
【請求項４】
前記凹溝は、前記把持部の軸方向と略平行な複数の第１の溝部と、この第１の溝部と略直交する複数の第２の溝部とからなる格子状とすることを特徴とする請求項３記載の滑り止め付き工具。
【請求項５】
前記凹凸構造の凸部の表面に、凹状の湾曲部を形成したことを特徴とする請求項３又は４に記載の滑り止め付き工具。
【請求項６】
前記把持部の外径を５ｍｍ以上とすることを特徴とする請求項１〜５のいずれか１項に記載の滑り止め付き工具。
【請求項７】
前記把持部を金属製の棒状体とし、前記滑り止め付き工具の重心位置を前記把持部に配置することを特徴とする請求項１〜６のいずれか１項に記載の滑り止め付き工具。
【請求項８】
前記駆動部を、ドライバー、スパナ又はレンチ等としたことを特徴とする請求項１〜７のいずれか１項に記載の滑り止め付き工具。
【考案の詳細な説明】
【技術分野】
【０００１】
本考案は、把持部に滑り止めを備えた工具に関するものである。
【背景技術】
【０００２】
従来、把持部に滑り止めを備えた工具として、レンチの把持部に滑り防止用の凹凸形状を形成しているものがある（例えば、特許文献１）。そして、このような工具では、把持部の凹凸形状により、把持部の滑りを防いで確実に把持することが可能となる。
【先行技術文献】
【特許文献】
【０００３】
【特許文献１】実開平５−７４７６７号公報
【考案の開示】
【考案が解決しようとする課題】
【０００４】
しかし、従来の工具では把持部の肉厚が薄く、つかみにくい形状のため、工具が平坦な所に載置されると、作業者の手に軍手や手袋等を装着した状態では把持部がつかみにくく、工具のつかみ損いにより作業工程に遅延が生じるという問題点があった。
【０００５】
解決しようとする問題点は、つかみ易く取り扱いに優れ、作業効率の向上を図る滑り止め付き工具を提供する点である。
【課題を解決するための手段】
【０００６】
請求項１の考案は、滑り止め部を設けた把持部と、前記把持部の一端又は両端に設けた駆動部とを備えた滑り止め付き工具であって、前記把持部を、前記把持部と前記駆動部とを結合する結合部より太く形成したものとすることを特徴とする。
【０００７】
請求項２の考案は、前記把持部の断面形状を、円形、楕円形又は四角形等の多角形状とすることを特徴とする。
【０００８】
請求項３の考案は、前記滑り止め部は、前記把持部の表面に形成された格子状の凹溝からなる凹凸構造としたことを特徴とする。
【０００９】
請求項４の考案は、前記凹溝は、前記把持部の軸方向と略平行な複数の第１の溝部と、この第１の溝部と略直交する複数の第２の溝部とからなる格子状とすることを特徴とする。
【００１０】
請求項５の考案は、前記凹凸構造の凸部の表面に、凹状の湾曲部を形成したことを特徴とする。
【００１１】
請求項６の考案は、前記把持部の外径を５ｍｍ以上とすることを特徴とする。
【００１２】
請求項７の考案は、前記把持部を金属製の棒状体とし、前記滑り止め付き工具の重心位置を前記把持部に配置することを特徴とする。
【００１３】
請求項８の考案は、前記駆動部を、ドライバー、スパナ又はレンチ等としたことを特徴とする。
【考案の効果】
【００１４】
請求項１の考案によれば、把持部を太く形成したことにより、手に取り易い形状とし、軍手や手袋等を装着した手でもつかみ易い形状とすることができるため、工具のつかみ損ないを防止して作業工程の円滑な進行を図り、作業効率を向上させることができる。
【００１５】
請求項２の考案によれば、把持部を手に馴染み易く、握り易い形状とすることができる。
【００１６】
請求項３の考案によれば、把持部の表面の摩擦抵抗を大きくして、把持部の滑り止め効果を高めている。
【００１７】
請求項４の考案によれば、把持部を把持した手が把持部の中心軸を回転軸として滑ることや、把持部を把持した手が把持部の軸方向に滑ることを防止している。
【００１８】
請求項５の考案によれば、凸部の表面の摩擦抵抗を高め、把持部の滑り止め効果を高めている。
【００１９】
請求項６の考案によれば、軍手や手袋等を装着した手でもさらに掴みやすい形状とすることができる。
【００２０】
請求項７の考案によれば、把持部を把持した際の滑り止め付き工具の安定性を向上させている。
【００２１】
請求項８の考案によれば、駆動部を用いた各種作業の操作性を向上させることができる。
【図面の簡単な説明】
【００２２】
【図１】本考案の滑り止め付き工具の正面図である。
【図２】同上、滑り止め付き工具の把持部付近の断面図及び要部拡大断面図である。
【図３】同上、滑り止め付き工具の斜視図及び要部拡大斜視図である。
【考案を実施するための形態】
【００２３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２４】
本考案の滑り止め付き工具１は、滑り止め部２を設けたグリップとしての把持部３と、把持部３の両端に結合された駆動部４とを備えている。
【００２５】
把持部３は、把持部３は鉄、鋼、アルミ等からなる中実な金属製の棒状体からなり、把持部３に滑り止め付き工具１の重心位置Ｇが配置されている。
【００２６】
本実施例の把持部３は円柱状としているが、本考案の把持部３は円柱状以外にも、楕円柱状、四角柱状等の多角柱状としてもよい。
【００２７】
滑り止め付き工具１には、把持部３の両端と駆動部４のネック部分を結合する結合部５が設けられており、把持部３の外径Ｄ１は結合部５の外径Ｄ２より大きく形成されており（Ｄ１＞Ｄ２）、把持部３は結合部５より太く形成されている。また、把持部３の外径Ｄ１は５ｍｍ以上とすることが好ましい。尚、滑り止め付き工具１は、把持部３および駆動部４を例えば鍛造加工等の一体成形により形成されたものである。
【００２８】
滑り止め部２は、把持部３の周面６全体に形成された格子状の凹溝７からなる凹凸構造としている。
【００２９】
凹溝７は、把持部３の軸方向（図中、Ｘ方向）と略平行に形成された複数の第１の溝部８と、第１の溝部８と略直交して形成された複数の第２の溝部９とからなる格子状の凹溝７としている。
【００３０】
この把持部３には、格子状の凹溝７により把持部３の周面６を碁盤目状に分断して形成された複数の平面視略矩形状を有するブロック型の凸部10が並設されている。
【００３１】
図２に示すように、断面略台形状の凸部10において、把持部３の径方向外向きの表面である頂面11には、その周縁部分から中央部分に向けて凹状に湾曲させた湾曲部12が形成されている。
【００３２】
駆動部４には、周知のドライバー、スパナ又はレンチ等の手動工具の頭部が用いられ、本実施例では把持部３の両端にスパナの頭部を駆動部４として結合している。
【００３３】
次に前記構成について、その作用を説明する。本考案の滑り止め付き工具１の使用方法としては、使用者は把持部３を把持して、駆動部４を用いて各種作業を行うものである。
【００３４】
また、把持部３の周面６に格子状の凹溝７からなる凹凸構造の滑り止め部２が設けられていることで、把持部３の周面６の摩擦抵抗が大きくなり、把持部３の滑り止め効果を高めている。
【００３５】
さらに、凹溝７の第１の溝部８が把持部３の中心軸Ｘ方向と略平行に形成されたことで、把持部３を把持した手が把持部３の周面６を把持部３の中心軸Ｘを回転軸として滑ることを防止している。そのため、駆動部４にドライバー等を採用した場合のように、作業対象である螺子部材（図示せず）に対して把持部３の中心軸Ｘを回転軸として滑り止め付き工具１を回転させる作業の際に、第１の溝部８により使用者の手が把持部３の周面６を把持部３の中心軸Ｘを回転軸として滑ることが防止されているため、作業対象である螺子部材に対する滑り止め付き工具１の相対的な回転量を正確に把握することが可能となり、適切な回転作業により作業効率を向上させることができる。
【００３６】
また、凹溝７の第２の溝部９が把持部３の中心軸Ｘ方向と直交する方向に形成されたことで、把持部３を把持した手が把持部３の周面６を把持部３の中心軸Ｘ方向に滑ることを防止している。
【００３７】
さらに、凸部10の頂面11に凹状の湾曲部12が形成されたことで、把持部３を把持した手と凸部10の頂面11との接触面積が周縁部分に抑えられて、凸部10の頂面11の摩擦抵抗を高め、把持部３の滑り止め効果を高めている。
【００３８】
また、把持部３の外径Ｄ１を５ｍｍ以上とし、把持部３の外径Ｄ１を結合部５の外径Ｄ２より太く形成することで、軍手や手袋等を装着した手でもつかみ易い形状とすることができる。
【００３９】
さらに、把持部３に滑り止め付き工具１の重心位置Ｇが配置されていることにより、把持部３を把持した際の滑り止め付き工具１の安定性を向上させている。
【００４０】
また、把持部３を円柱状とすることで、把持部３を手に馴染み易く握り易い形状としている。
【００４１】
以上のように本実施例は、滑り止め部２を設けた把持部３と、把持部３の一端又は両端に結合された駆動部４とを備えた滑り止め付き工具１であって、把持部３を、把持部３と駆動部４とを結合する結合部５より太く形成したことにより、手に取り易い形状とし、軍手や手袋等を装着した手でもつかみ易い形状とすることができるため、滑り止め付き工具１のつかみ損ないを防止して作業工程の円滑な進行を図り、作業効率を向上させることができる。
【００４２】
また本実施例は、把持部３の断面形状を、円形、楕円形又は四角形等の多角形状とすることにより、把持部３を手に馴染み易く、握り易い形状とすることができる。
【００４３】
さらに本実施例は、滑り止め部２は、把持部３の表面である周面６に形成された格子状の凹溝７からなる凹凸構造としたことにより、把持部３の表面の摩擦抵抗を大きくして、把持部３の滑り止め効果を高めている。
【００４４】
また本実施例は、凹溝７は、把持部３の軸方向（図中、Ｘ方向）と略平行な複数の第１の溝部８と、この第１の溝部８と略直交する複数の第２の溝部９とからなる格子状とすることにより、把持部３を把持した手が、把持部３の周面６を把持部３の中心軸Ｘを回転軸として滑ることや、把持部３の周面６を把持部３の中心軸Ｘ方向に滑ることを防止している。
【００４５】
さらに本実施例は、凹凸構造の凸部10の表面に、凹状の湾曲部12を形成したことにより、凸部10の表面の摩擦抵抗を高め、把持部３の滑り止め効果を高めている。
【００４６】
また本実施例は、把持部３の外径Ｄ１を５ｍｍ以上とすることにより、軍手や手袋等を装着した手でもさらにつかみ易い形状とすることができる。
【００４７】
さらに本実施例は、把持部３を金属製の棒状体とし、滑り止め付き工具１の重心位置Ｇを把持部３に配置することにより、把持部３を把持した際の滑り止め付き工具１の安定性を向上させている。
【００４８】
また本実施例は、駆動部４を、ドライバー、スパナ又はレンチ等としたことにより、駆動部４を用いた各種作業の操作性を向上させることができる。
【００４９】
さらに実施例上の効果としては、把持部３および駆動部４を例えば鍛造加工等の一体成形により形成したことで、滑り止め付き工具１の生産性を向上することができる。
【符号の説明】
【００５０】
１  滑り止め付き工具
２  滑り止め部
３  把持部
４  駆動部
５  結合部
７  凹溝
８  第１の溝部
９  第２の溝部
10  凸部
12  湾曲部
【図１】
0003170020.tif 000003
【図２】
0003170020.tif 000004
【図３】
0003170020.tif 000005
【手続補正書】
【提出日】平成23年6月28日(2011.6.28)
【手続補正１】
【補正対象書類名】実用新案登録請求の範囲
【補正対象項目名】請求項１
【補正方法】変更
【補正の内容】
【請求項１】
滑り止め部を設けた棒状体からなる把持部と、前記把持部の一端又は両端に設けた駆動部とを備えた滑り止め付き工具であって、
前記把持部を、前記把持部と前記駆動部とを結合する結合部より太く形成したものとすることを特徴とする滑り止め付き工具。
【手続補正２】
【補正対象書類名】明細書
【補正対象項目名】０００６
【補正方法】変更
【補正の内容】
【０００６】
請求項１の考案は、滑り止め部を設けた棒状体からなる把持部と、前記把持部の一端又は両端に設けた駆動部とを備えた滑り止め付き工具であって、前記把持部を、前記把持部と前記駆動部とを結合する結合部より太く形成したものとすることを特徴とする。